(57)【要約】【課題】大きな設置用スペースを必要とせず、小さなスペースに設置することが可能なレジ袋用ホルダーを提供する。【解決手段】ホルダー(100)は、ホルダー本体(110)と、ホルダー本体(110)をシンクに取り外し自在に取り付ける吸盤(160)と、からなる。ホルダー本体(110)はシンクの縁部(500)の周囲に沿って配置され、ホルダー本体(110)の一部であり、シンクの縁部(500)から外側に向かって突出している突出部分(150)にレジ袋(510)の把手がレジ袋(510)が開口した状態で係止される。【選択図】図２
0003173707.tif 000002
【実用新案登録請求の範囲】
【請求項１】
シンクの縁部にまたがって取り付けられるホルダーであって、
ホルダー本体と、
前記ホルダー本体を前記シンクに取り外し自在に取り付ける取り付け手段と、
からなり、
前記ホルダー本体は線材からなり、
前記ホルダー本体は、
前記シンクの前記内壁に面して延びる内壁側部分と、
前記シンクの前記縁部に面して延びる縁側部分と、
前記シンクの外壁に面して延びる外壁側部分と、
前記縁側部分と前記外壁側部分との境界を起点として前記縁側部分から外側に延びる一対の突出部分と、
を備え、
前記一対の突出部分は相互に離間しており、
前記一対の突出部分の各々には、一対の把手を有する袋の前記一対の把手の各々を前記袋が開口した状態で係止可能な係止部が形成されており、
前記取り付け手段は前記ホルダー本体を前記シンクの前記内壁に取り外し自在に取り付けるものであるホルダー。
【請求項２】
前記一対の突出部分の各々は前記境界を中心として前記縁側部分に対して水平になる位置と前記縁側部分と重なり合う位置との間において回動可能に前記縁側部分に連結していることを特徴とする請求項１に記載のホルダー。
【請求項３】
前記一対の突出部分は相互に同期して回動するものであることを特徴とする請求項２に記載のホルダー。
【請求項４】
前記取り付け手段は前記内壁側部分に設けられていることを特徴とする請求項１乃至３の何れか一項に記載のホルダー。
【考案の詳細な説明】
【技術分野】
【０００１】
本考案は、ホルダー、特に、いわゆるレジ袋を開口させた状態で吊り下げることができるレジ袋用ホルダーに関する。
【０００２】
に関する。
【背景技術】
【０００３】
スーパーマーケットなどで買い物をすると、購入した商品を入れるための袋として、樹脂製シートからなる「レジ袋」と呼ばれる袋が購入者に渡される。
【０００４】
このレジ袋を、ゴミを入れるためのゴミ袋として利用するための様々な器具が提案されている。
【０００５】
その一つとして、特開２００６−２７８９７号公報に記載されているレジ袋吊り下げホルダーがある。
【０００６】
図６は同公報に記載されているレジ袋吊り下げホルダー１０００の斜視図である。
【０００７】
図６に示すように、レジ袋吊り下げホルダー１０００は相互に対向した一対の吊り下げ部１１００を備えており、各吊り下げ部１１００には、二つの凸部１１０１と三つの凹部１１０２とが形成されている。三つの凹部１１０２は二つの凸部１１０１の間及び各凸部１１０１の外側に形成されている。
【０００８】
図７は、レジ袋吊り下げホルダー１０００にレジ袋１２００を吊り下げた状態を示す斜視図である。
【０００９】
図７に示すように、レジ袋１２００の把手の部分を隣接する二つの凹部１１０２に引っ掛けることにより、レジ袋１２００を開口させた状態で吊り下げることができる。
【考案の開示】
【考案が解決しようとする課題】
【００１０】
しかしながら、図６及び図７に示したレジ袋吊り下げホルダー１０００は、使用しているときは当然のこと、使用していないときであっても、置いておくためのスペースを必要とする。このため、スペースに余裕がないキッチンにおいては、レジ袋吊り下げホルダー１０００を使用することは困難であった。
【００１１】
本考案はこのような従来のレジ袋用ホルダーにおける問題点に鑑みてなされたものであり、大きな設置用スペースを必要とせず、小さなスペースに設置することが可能なレジ袋用ホルダーを提供することを目的とする。
【課題を解決するための手段】
【００１２】
上記の目的を達成するため、本考案は、シンクの縁部にまたがって取り付けられるホルダーであって、ホルダー本体と、前記ホルダー本体を前記シンクに取り外し自在に取り付ける取り付け手段と、からなり、前記ホルダー本体は線材からなり、前記ホルダー本体は、前記シンクの前記内壁に面して延びる内壁側部分と、前記シンクの前記縁部に面して延びる縁側部分と、前記シンクの外壁に面して延びる外壁側部分と、前記縁側部分と前記外壁側部分との境界を起点として前記縁側部分から外側に延びる一対の突出部分と、を備え、前記一対の突出部分は相互に離間しており、前記一対の突出部分の各々には、一対の把手を有する袋の前記一対の把手の各々を前記袋が開口した状態で係止可能な係止部が形成されており、前記取り付け手段は前記ホルダー本体を前記シンクの前記内壁に取り外し自在に取り付けるものであるホルダーを提供する。
【００１３】
本考案に係るホルダーにおいては、前記一対の突出部分の各々は前記境界を中心として前記縁側部分に対して水平になる位置と前記縁側部分と重なり合う位置との間において回動可能に前記縁側部分に連結していることが好ましい。
【００１４】
本考案に係るホルダーにおいては、前記一対の突出部分は相互に同期して回動するものであることが好ましい。
【００１５】
本考案に係るホルダーにおいては、前記取り付け手段は前記内壁側部分に設けられていることが好ましい。
【００１６】
前記取り付け手段は、例えば、吸盤または磁石からなるものとすることができる。
【００１７】
本考案に係るホルダーにおいては、前記内壁側部分、前記縁側部分、前記外壁側部分及び前記突出部分のうちの少なくとも一つは取り外し可能であるように構成することが好ましい。
【考案の効果】
【００１８】
本考案に係るホルダーはシンクの縁部にまたがって配置される。このため、本考案に係るホルダーによれば、シンクの縁部を利用することにより、ホルダーの設置のために実質的に必要なスペースは突出部分のためのスペースだけである。内壁側部分、縁側部分及び外壁側部分が占めるスペースはもともとシンクの縁部が占めていたスペースであるので、内壁側部分、縁側部分及び外壁側部分のための新たなスペースは必要としない。
【００１９】
図６及び図７に示した従来のホルダー１０００は設置のための所定の大きさのスペースを必要としていたが、本考案に係るホルダーは突出部分のためのスペースを確保できれば設置することが可能であり、従来のホルダー１０００と比較して、設置のためのスペースを大幅に減らすことができる。すなわち、本考案に係るホルダーは、大きな設置用スペースを必要とせず、小さなスペースに設置することが可能である。
【００２０】
また、一対の突出部分の各々を縁側部分に対して回動可能に形成することにより、本考案に係るホルダーを使用しない場合には、突出部分を回動させて、縁側部分上に重ねた状態にしておくことが可能である。これにより、シンクの縁部から外方に突出する部分がなくなるため、本ホルダーの非使用時においては、本ホルダーはほぼ縁部の周囲に全て配置されることになり、非使用時におけるホルダーの収納スペースをほぼゼロにすることができる。
【００２１】
さらに、一対の突出部分を相互に同期して回動するものとして構成することにより、一対の突出部分の各々を個々に回動させる必要はなく、何れか一方の突出部分を回動させることにより、他方の突出部分を同期して回動させることが可能になり、一動作で双方の突出部分を回動させることができる。
【図面の簡単な説明】
【００２２】
【図１】本考案の第一の実施形態に係るホルダーの斜視図である。
【図２】本考案の第一の実施形態に係るホルダーの使用状態を示す縦断面図である。
【図３】本考案の第二の実施形態に係るホルダーの斜視図である。
【図４】本考案の第三の実施形態に係るホルダーの斜視図である。
【図５】本考案の第三の実施形態に係るホルダーの斜視図である。
【図６】従来のレジ袋吊り下げホルダーの斜視図である。
【図７】図６に示した従来のレジ袋吊り下げホルダーにレジ袋を吊り下げた状態を示す斜視図である。
【考案を実施するための最良の形態】
【００２３】
（第一の実施形態）
図１は本考案の第一の実施形態に係るホルダー１００の斜視図であり、図２は本実施形態に係るホルダー１００の使用状態を示す縦断面図である。
【００２４】
図２に示すように、本実施形態に係るホルダー１００はシンクの縁部５００にまたがるようにして取り付けられる。
【００２５】
図１に示すように、ホルダー１００は、ホルダー本体１１０と、ホルダー本体１１０をシンクの内壁５０１に対して取り外し自在に取り付ける取り付け手段としての一対の吸盤１６０と、から構成されている。
【００２６】
ホルダー本体１１０は、ホルダー１００をシンクの縁部５００に取り付けたときにシンクの内壁５０１に面して延びる内壁側部分１２０と、シンクの縁部５００の上面５０２に一部が接触した状態で延びる縁側部分１３０と、シンクの外壁５０３に接触した状態で延びる外壁側部分１４０と、縁側部分１３０と外壁側部分１４０の境界を起点として縁側部分１３０から外側に延びる一対の突出部分１５０と、から構成されている。
【００２７】
内壁側部分１２０は金属（例えば、ステンレススティールまたはアルミニウム）の線材からなり、全体として、長方形の形状をなしている。
【００２８】
吸盤１６０は、図１に示すように、内壁側部分１２０の下辺部分に取り外し可能に取り付けられている。
【００２９】
縁側部分１３０は金属の線材からなる。縁側部分１３０は内壁側部分１２０の上側の長辺の両端から該長辺と直交する方向に延びている。
【００３０】
外壁側部分１４０は、内壁側部分１２０と同様に、金属の線材からなり、長方形の形状をなしている。外壁側部分１４０はその上側の長辺の両端が縁側部分１３０と結合しており、外壁側部分１４０がなす面は縁側部分１３０と直交している。
【００３１】
すなわち、縁側部分１３０の両側に内壁側部分１２０と外壁側部分１４０が結合されており、内壁側部分１２０と外壁側部分１４０との間の距離（すなわち、縁側部分１３０の長さ）は、図２に示すように、シンクの縁部５００の厚さよりも大きくなるように設定されている。
【００３２】
一対の突出部分１５０は相互に離間して形成されている。具体的には、一対の突出部分１５０の各々は縁側部分１３０の先端の各々から外側に向かって縁側部分１３０の延長線方向に突出している。
【００３３】
一対の突出部分１５０の各々にはほぼ半円形状の係止部１５１が形成されている。係止部１５１は相互に向かい合う方向に斜め上方に傾斜している。いわゆるレジ袋の把手の部分を係止部１５１に引っ掛けることにより、レジ袋が開口した状態でレジ袋を係止部１５１に係止させておくことが可能である。
【００３４】
以上のような構造を有する本実施形態に係るホルダー１００は以下のようにして使用される。
【００３５】
図２に示すように、ホルダー１００をシンクの縁部５００にまたがせるように配置する。これにより、縁側部分１３０が縁部５００の上面５０２上に載置され、内壁側部分１２０はシンクの内壁５０１に対向し、外壁側部分１４０はシンクの外壁５０３に沿って配置される。
【００３６】
次いで、吸盤１６０をシンクの内壁５０１に押し付け、吸盤１６０をシンクの内壁５０１に吸着させる。これにより、ホルダー本体１１０がシンクに対して固定される。
【００３７】
次いで、レジ袋５１０の一対の把手部分の各々を係止部１５１に係止させる。これにより、レジ袋５１０は開口した状態で、係止部１５１に保持される。この状態においては、レジ袋５１０は開口したままであるので、ゴミを容易にレジ袋５１０内に捨てることができる。レジ袋５１０がゴミで一杯になったときは、レジ袋５１０の把手部分を係止部１５１から外して、新たなレジ袋５１０を係止部１５１に装着する。
【００３８】
以上のように、本実施形態に係るホルダー１００によれば、シンクの縁部５００を利用することにより、ホルダー１００の設置のために実質的に必要なスペースは突出部分１５０のためのスペースだけである。内壁側部分１２０、縁側部分１３０及び外壁側部分１４０が占めるスペースはもともとシンクの縁部５００が占めていたスペースであるので、内壁側部分１２０、縁側部分１３０及び外壁側部分１４０のための新たなスペースは必要としない。
【００３９】
図６及び図７に示した従来のホルダー１０００は設置のための所定の大きさのスペースを必要としていたが、本実施形態に係るホルダー１００は突出部分１５０のためのスペースを確保できれば設置することが可能であり、従来のホルダー１０００と比較して、設置のためのスペースを大幅に減らすことができる。すなわち、本実施形態に係るホルダー１００は、大きな設置用スペースを必要とせず、小さなスペースに設置することが可能である。
【００４０】
なお、本実施形態に係るホルダー１００は上記の構成に限定されるものではなく、種々の改変が可能である。
【００４１】
本実施形態に係るホルダー１００においては、内壁側部分１２０、縁側部分１３０、外壁側部分１４０はいずれも線材で構成されているものとしたが、線材に代えて、面材を用いて構成することも可能である。
【００４２】
また、本実施形態に係るホルダー１００においては、ホルダー本体１１０をシンクに対して取り付ける取り付け手段として吸盤１６０を用いているが、吸盤１６０に代えて、磁石を用いることも可能である。ただし、シンクがスティールその他の磁性体である場合に限定される。
【００４３】
本実施形態に係るホルダー１００においては、係止部１５１の形状は半円形状としたが、係止部１５１の形状はこれには限定されない。係止部１５１の形状としては、レジ袋５１０の把手部分を引っ掛けることができる形状である限りにおいて、任意の形状を選択することが可能である。
【００４４】
（第二の実施形態）
図３は本考案の第二の実施形態に係るホルダー２００の斜視図である。
【００４５】
本実施形態に係るホルダー２００は第一の実施形態に係るホルダー１００と比較して次の点において異なる。
【００４６】
第一に、本実施形態に係るホルダー２００においては、一対の突出部分１５０の各々は縁側部分１３０に対して回動可能に形成されている。
【００４７】
第二に、内壁側部分１２０、縁側部分１３０、外壁側部分１４０及び突出部分１５０は相互に取り外すことが可能であるように形成されている。
【００４８】
具体的には、本実施形態に係るホルダー２００は以下のような構造を有している。
【００４９】
図３に示すように、ホルダー２００は、ホルダー本体２１０と、ホルダー本体２１０をシンクの内壁５０１に対して取り外し自在に取り付ける取り付け手段としての一対の吸盤１６０と、から構成されている。
【００５０】
ホルダー本体２１０は、ホルダー２００をシンクの縁部５００に取り付けたときにシンクの内壁５０１に面して延びる内壁側部分２２０と、シンクの縁部５００の上面５０２に一部が接触した状態で延びる縁側部分２３０と、シンクの外壁５０３に接触した状態で延びる外壁側部分２４０と、縁側部分２３０と外壁側部分２４０の境界を中心として回動可能に縁側部分２３０に連結されている一対の突出部分２５０と、から構成されている。
【００５１】
内壁側部分２２０は金属の線材からなり、全体として、長方形の上辺が欠けた形状をなしており、さらに、二つの短辺の上端が外側に湾曲している。
【００５２】
吸盤１６０は、第一の実施形態に係るホルダー１００と同様に、内壁側部分２２０の下辺部分に取り外し可能に取り付けられている。
【００５３】
縁側部分２３０は金属の線材からなる。縁側部分２３０は長方形の一つの長辺が欠けた形状をなしており、二つの短辺の先端は外側に湾曲している。さらに、長辺の両端にはリング２３１が形成されている。
【００５４】
リング２３１に内壁側部分２２０の湾曲した先端部分が挿入されることにより、内壁側部分２２０と縁側部分２３０とは相互に取り外し自在に結合されている。
【００５５】
内壁側部分２２０がなす面と縁側部分２３０がなす面とは直交している。
【００５６】
外壁側部分２４０は金属の線材からなり、一つの長辺が欠けた長方形の形状をなしており、二つの短辺の上端において縁側部分２３０の短辺の各々に溶接その他の手段により固定されている。外壁側部分２４０の二つの短辺の先端に半円形状に湾曲している。
【００５７】
外壁側部分２４０がなす面は縁側部分１３０がなす面と直交している。
【００５８】
一対の突出部分２５０の先端は湾曲している。この先端の湾曲部分が外壁側部分２４０の湾曲状先端の内部に係合し、かつ、突出部分２５０の一点が縁側部分２３０の湾曲状先端に支持されているため、一対の突出部分２５０の各々は縁側部分２３０と外壁側部分２４０の境界を中心として回動可能に縁側部分２３０に連結されている。
【００５９】
具体的には、一対の突出部分２５０の各々は縁側部分２３０と外壁側部分２４０の境界を中心として縁側部分２３０に対して水平になる位置（図３に示す位置）と縁側部分２３０上に重なり合う位置との間において回動可能である。
【００６０】
一対の突出部分２５０は縁側部分２３０から取り外すことが可能である。
【００６１】
一対の突出部分２５０の各々には、第一の実施形態における突出部分１５０と同様に、係止部２５１が形成されている。
【００６２】
さらに、一対の突出部分２５０の各々の先端部分は湾曲形状に形成され、その先端には球形の把手２５２が取り付けられている。ホルダー２００の使用者は把手２５２を持って突出部分２５０を回動させることができる。
【００６３】
以上のような構造を有する本実施形態に係るホルダー２００は以下のようにして使用される。
【００６４】
基本的には、第一の実施形態に係るホルダー１００と同様にして使用される。
【００６５】
加えて、一対の突出部分２５０の各々は縁側部分２３０に対して回動可能であるため、本実施形態に係るホルダー２００を使用しない場合には、突出部分２５０を回動させて、縁側部分２３０上に重ねた状態にしておくことが可能である。これにより、シンクの縁部５００から外方に突出する部分がなくなるため、ホルダー２００の非使用時においては、ホルダー２００はほぼ縁部５００の周囲に全て配置されることになり、非使用時におけるホルダー２００の収納スペースをほぼゼロにすることができる。
【００６６】
（第三の実施形態）
図４は本考案の第三の実施形態に係るホルダー３００の斜視図である。
【００６７】
図３に示した第二の実施形態に係るホルダー２００においては、一対の突出部分２５０の各々は相互に独立して回動するものであるため、一対の突出部分２５０の各々を回動させることが必要になる。
【００６８】
第三の実施形態に係るホルダー３００においては、一対の突出部分は一つの部材として形成されている。すなわち、ホルダー３００においては、第二の実施形態に係るホルダー２００における一対の突出部分２５０の湾曲状先端が一つの線材３５１として連結されており、このため、一対の突出部分２５０は相互に同期して回動する。
【００６９】
図５は、一対の突出部分２５０を回動させて、縁側部分２３０上に乗せた状態を示す斜視図である。
【００７０】
このように、本実施形態に係るホルダー３００においては、一対の突出部分２５０は相互に同期して回動するため、第二の実施形態に係るホルダー２００の場合のように、一対の突出部分２５０の各々を回動させる必要はなく、何れか一方の突出部分２５０を回動させることにより、他方の突出部分２５０を同期して回動させることができる。このように、ホルダー３００の使用者は１つの動作で双方の突出部分２５０を回動させることが可能になる。
【符号の説明】
【００７１】
１００  第一の実施形態に係るホルダー
１１０  ホルダー本体
１２０  内壁側部分
１３０  縁側部分
１４０  外壁側部分
１５０  突出部分
１５１  係止部
１６０  吸盤
２００  第二の実施形態に係るホルダー
２１０  ホルダー本体
２２０  内壁側部分
２３０  縁側部分
２４０  外壁側部分
２５０  突出部分
２５１  係止部
２５２  把手
３００  第三の実施形態に係るホルダー
５００  シンクの縁部
５０１  縁部の内壁
５０２  縁部の上面
５０３  縁部の外壁
５１０  レジ袋
【図１】
0003173707.tif 000003
【図２】
0003173707.tif 000004
【図３】
0003173707.tif 000005
【図４】
0003173707.tif 000006
【図５】
0003173707.tif 000007
【図６】
0003173707.tif 000008
【図７】
0003173707.tif 000009